(57)【要約】【課題】バール等によるこじりに対し、これを許容しつつ鍵棒が外れることのない自動ドアの施錠装置を提供することを課題とする。【解決手段】扉体２０の下端に出没自在に設けられた鍵棒５２と、ドア枠の下枠１６に突設され、扉体２０が閉塞した状態で突出した鍵棒５２に係合し扉体２０の開放を阻止する開放阻止部材５３と、扉体２０の下端に突設され、扉体２０が閉塞した状態で開放阻止部材５３に対し上動方向に掛止される掛止部材５４と、を備え、開放阻止部材５３は、掛止部材５４が掛止されると共に、扉体２０に対する開放阻止状態を維持しつつ上下動可能に構成された可動阻止部７４を有している。【選択図】  図４
2004324076.tif 000002
【特許請求の範囲】
【請求項１】
扉体の下端に出没自在に設けられた鍵棒と、
ドア枠の下枠に設けられ、前記扉体が閉塞した状態で突出した前記鍵棒に係合し前記扉体の開放を阻止する開放阻止部材と、
前記扉体の下端に設けられ、前記扉体が閉塞した状態で前記開放阻止部材に対し上動方向に掛止される掛止部材と、を備え、
前記開放阻止部材は、前記掛止部材が掛止されると共に、前記扉体に対する開放阻止状態を維持しつつ上下動可能に構成された可動阻止部を有していることを特徴とする自動ドアの施錠装置。
【請求項２】
前記開放阻止部材は、前記下枠に固定される固定部と、前記固定部に設けられたガイド部と、前記ガイド部に上下動自在に支持された前記可動阻止部と、を有していることを特徴とする請求項１に記載の自動ドアの施錠装置。
【請求項３】
扉体の下端に出没自在に設けられた鍵棒と、
ドア枠の下枠に設けられ、前記扉体が閉塞した状態で突出した前記鍵棒に係合し前記扉体の開放を阻止すると共に、前記鍵棒に対し上動方向に掛止される阻止部材と、を備え、
前記鍵棒および前記阻止部材の少なくとも一方は、前記扉体に対する開放阻止状態を維持しつつ上下動可能に構成された可動阻止部を有していることを特徴とする自動ドアの施錠装置。
【請求項４】
前記鍵棒はフック形状に形成され、且つ正逆回動動作で出没することを特徴とする請求項３に記載の自動ドアの施錠装置。
【請求項５】
扉体の下端に出没自在に設けられた鍵棒と、
ドア枠の下枠に設けられ、前記扉体が閉塞した状態で突出した前記鍵棒に係合し前記扉体の開放を阻止する開放阻止部材と、
前記下枠に設けられた掛止受け部材と、
前記扉体の下端に設けられ、前記扉体が閉塞した状態で前記掛止受け部材に対し上動方向に掛止される掛止部材と、を備え、
前記開放阻止部材は、前記扉体に対する開放阻止状態を維持しつつ上下動可能に構成された可動阻止部を有し、
前記掛止受け部材は、前記掛止部材が掛止されると共に上下動可能に構成された可動受け部と、前記可動受け部の上動に伴って前記可動阻止部を上動させる連動部とを有していることを特徴とする自動ドアの施錠装置。
【請求項６】
請求項１ないし５のいずれかに記載の自動ドアの施錠装置を備えたことを特徴とする自動ドア。
【発明の詳細な説明】
【０００１】
【発明の属する技術分野】
本発明は、こじ開け防止用の防犯機構を備えた自動ドアの施錠装置およびこれを備えた自動ドアに関するものである。
【０００２】
【従来の技術】
従来、この種の自動ドアの施錠装置では、デットボルト（鍵棒）とこれを受ける受けブロックにより、閉塞状態の扉体の開放を阻止する施錠機構の他に、扉体が閉塞したときに相互に係合する一対のＬ次ブロックにより、防犯機構が構成されている（例えば、特許文献１参照）。防犯機構の一方のＬ次ブロックは扉体の下端に固設され、他方のＬ次ブロックは下枠上に突設されていて、これら一対のＬ次ブロックは相互に対向して配置されている。このため、扉体を閉塞すると、一対のＬ次ブロックは噛み合うように係合し、受けブロックからデットボルトを外すべく、バール等により扉体を上動させるようにこじっても、扉体を上動が阻止されるようになっている。これにより、デットボルトと受けブロックの位置関係が維持され、扉体の開放が阻止される。
【０００３】
【特許文献１】
特開平１１−３３６４１０号公報（第３頁および図１）
【０００４】
【発明が解決しようとする課題】
このような、従来の自動ドアの施錠装置では、不法侵入者がバール等により扉体を上動させる場合、下枠をてこ（支点）にしてこじ上げるため、大きな力が加わり、Ｌ次ブロックを固定している扉体や下枠が破損してしまう問題があった。
ところで、近年の不法侵入者（窃盗犯）は、施錠装置を開錠するときに時間がかかると、犯行を諦めることが知られている。
【０００５】
本発明は、バール等によるこじりに対し、これを許容しつつ鍵棒が外れることのない自動ドアの施錠装置およびこれを備えた自動ドアを提供することを、その課題としている。
【０００６】
【課題を解決するための手段】
本発明の自動ドアの施錠装置は、扉体の下端に出没自在に設けられた鍵棒と、ドア枠の下枠に設けられ、扉体が閉塞した状態で突出した鍵棒に係合し扉体の開放を阻止する開放阻止部材と、扉体の下端に設けられ、扉体が閉塞した状態で開放阻止部材に対し上動方向に掛止される掛止部材と、を備え、開放阻止部材は、掛止部材が掛止されると共に、扉体に対する開放阻止状態を維持しつつ上下動可能に構成された可動阻止部を有していることを特徴とする。
【０００７】
この構成によれば、扉体が閉塞した状態では、突出した鍵棒に開放阻止部材が係合し扉体の開放が阻止されると共に、開放阻止部材に掛止部材が上動方向に掛止される。一方、不法侵入者が、バール等により扉体をこじって（上動）開放阻止部材から鍵棒を外すそうとすると、扉体の上動に合わせて開放阻止部材の可動阻止部が掛止部材に引かれ、上動する。可動阻止部が上動すると、可動阻止部と鍵棒との位置関係が変化しないため、常に扉体の開放阻止状態が維持される。
【０００８】
この場合、開放阻止部材は、下枠に固定される固定部と、固定部に設けられたガイド部と、ガイド部に上下動自在に支持された可動阻止部と、を有していることが、好ましい。
【０００９】
この構成によれば、簡単な構造で、開放阻止部材を下枠に固定することができ、且つガイド部により可動阻止部を上下動自在に支持することができる。なお、ガイド部は、一対のピン状部材で構成することが好ましく、且つ可動阻止部を抜止め状態で支持することが好ましい。
【００１０】
本発明の他の自動ドアの施錠装置は、扉体の下端に出没自在に設けられた鍵棒と、ドア枠の下枠に設けられ、扉体が閉塞した状態で突出した鍵棒に係合し扉体の開放を阻止すると共に、鍵棒に対し上動方向に掛止される阻止部材と、を備え、鍵棒および阻止部材の少なくとも一方は、扉体に対する開放阻止状態を維持しつつ上下動可能に構成された可動阻止部を有していることを特徴とする。
【００１１】
この構成によれば、扉体が閉塞した状態では、突出した鍵棒に阻止部材が係合し扉体の開放が阻止されると共に、鍵棒に対し阻止部材が上動方向に掛止される。一方、不法侵入者が、バール等により扉体をこじって（上動）阻止部材から鍵棒を外すそうとすると、扉体の上動に合わせて阻止部材または鍵棒の可動阻止部が上動する。このため、可動阻止部により常に扉体の開放阻止状態が維持される。
【００１２】
この場合、鍵棒はフック形状に形成され、且つ正逆回動動作で出没することが、好ましい。
【００１３】
この構成によれば、簡単な構造で、鍵棒に対する阻止部材の係合状態および掛止状態を同時に達成することができる。
【００１４】
本発明の他の自動ドアの施錠装置は、扉体の下端に出没自在に設けられた鍵棒と、ドア枠の下枠に設けられ、扉体が閉塞した状態で突出した鍵棒に係合し扉体の開放を阻止する開放阻止部材と、下枠に設けられた掛止受け部材と、扉体の下端に設けられ、扉体が閉塞した状態で掛止受け部材に対し上動方向に掛止される掛止部材と、を備え、開放阻止部材は、扉体に対する開放阻止状態を維持しつつ上下動可能に構成された可動阻止部を有し、掛止受け部材は、掛止部材が掛止されると共に上下動可能に構成された可動受け部と、可動受け部の上動に伴って可動阻止部を上動させる連動部とを有していることを特徴とする。
【００１５】
この構成によれば、扉体が閉塞した状態では、突出した鍵棒に開放阻止部材が係合し扉体の開放が阻止されると共に、掛止受け部材に掛止部材が上動方向に掛止される。一方、不法侵入者が、バール等により扉体をこじって（上動）開放阻止部材から鍵棒を外すそうとすると、扉体の上動に合わせて掛止受け部材の可動受け部が掛止部材に引かれ、上動すると共に連動部を介して開放阻止部材の可動阻止部を上動させる。可動阻止部が上動すると、可動阻止部と鍵棒との位置関係が変化しないため、常に扉体の開放阻止状態が維持される。
【００１６】
本発明の自動ドアは、上記した自動ドアの施錠装置を備えたことを特徴とする。
【００１７】
この構成によれば、バール等により扉体をこじって（上動）も鍵棒を外すことができず、不法侵入を諦めさせることができる。
【００１８】
【発明の実施の形態】
以下、添付図面を参照して、本発明の一実施形態に係る施錠装置を適用した自動ドアについて説明する。図１に示すように、この自動ドア１は、中間の方立４を挟んで嵌殺し形式の隔壁部２と自動ドア部３とから成り、隔壁部２および自動ドア部３のいずれも無目を組み込んだ段窓形式に構成されている。隔壁部２は、隔壁部縦枠６および方立４を通しとして、これに隔壁部上枠７、隔壁部無目８および隔壁部幅木９を枠組みして隔壁部枠体が構成されている。隔壁部無目８を挟んで隔壁部２の上部には光性の欄間部パネル１０が、下部には透光性の隔壁部パネル１１が、それぞれ嵌殺し形式で装着されている。
【００１９】
同様に、自動ドア部３は、ドア部縦枠１３および方立４を通しとして、これにドア部上枠１４、ドア部無目１５およびドア部下枠１６を枠組みしてドア部枠体が構成されている。ドア部無目１５を挟んで自動ドア部３の上部には、吊束１７で仕切った透光性の一対の欄間部パネル１８，１８が装着され、下部には、固定扉１９および片引き形式の可動扉（扉体）２０が組み込まれている。そして、この可動扉２０が、ドア部無目１５の内部に収容したエンジン（後述する）により、固定扉１９に重なる開放位置と出入口を閉塞する閉塞位置との間で、自動的に開閉動作する。
【００２０】
ドア部下枠１６は、略台形断面を有して固定扉１９の下側に位置する見込み方向外側半部の外側枠部２２と、Ｕ字状断面を有して可動扉２０の下側に位置する見込み方向内側半部の内側枠部２３と、内側枠部２３に上側から嵌合固定したレール枠部２４とで構成されている。レール枠部２４の見込み方向の中間位置には、可動扉２０の開閉を案内する凹状のレール溝２５が形成されている。また、見付け方向の複数箇所には、断面クランク形状の補強プレート２６が設けられており、補強プレート２６の一方の端部は後述する固定扉１９の固定下框２９に直接固定され、他方の端部はレール枠部２４を固定するためのねじにより、内側枠部２３に共締め状態で固定されている。
【００２１】
図１、図２および図３に示すように、固定扉は、無目の下端部に一体に作り込んだパネル取付部２８と、ドア部下枠１６に載せた状態で下端部を床に埋め込むように設けた扉部幅木２９と、方立４に添設固定した縦枠アタッチメント３０と、これに対向する召合せ縦中骨３１と、を四周框組みすると共に、これに透光性（透明）のガラス等のパネル体３２を組み込んで構成されている。この場合、パネル体３２を装着するために、扉部幅木２９のパネル体装着部が押し縁形式となっている。なお、高さ寸法によっては、縦枠アタッチメント３０および召合せ縦中骨３１間の上下中間位置に中桟を組み込むようにしてもよい（図中の破線参照）。
【００２２】
同様に、可動扉２０は、上框３４、下框３５、戸先縦框３６および戸尻縦框３７を四周框組みすると共に、これに透光性（透明）のガラス等のパネル体３８を組み込んで構成されている。この場合には、上框３４および下框３５のパネル体装着部が、それぞれパネル体３８を装着するため押し縁形式となっている。なおこの場合も、高さ寸法によっては、戸先縦框３６と戸尻縦框３７間の上下中間位置に中桟を組み込むようにしてもよい（図中の破線参照）。
【００２３】
戸先縦框３６の上端および戸尻縦框３７の上端には、可動扉２０を吊り上げるように支持する一対の吊ブラケット  （片側のみ記載）４０が固定されており、各吊ブラケット４０の上部には吊り車４１が回転自在に軸支されている。また、各吊ブラケット４０の上下の中間位置には、吊り車４１に対峙するように可動扉２０の上動を規制する上動ストッパ４２が固定されている。
【００２４】
一方、図３に示すように、可動扉２０を開閉動作させるエンジン４３は、ドア部無目１５に内蔵されている。ドア部無目１５は、その下壁部分の屋外側に上記固定扉１９のパネル取付部２８が一体に形成されると共に、屋内側に可動扉２０が臨むための開口部４４が形成されている。また、ドア部無目１５の内部には、その上壁、前壁および上框部２８に亘って断面略「コ」字状の支持フレーム４５が設けられている。支持フレーム４５の下片部４５ａには、上記の吊り車４１を転接状態に支持するレール４６が形成され、このレール４６を上下に挟んで吊り車４１と上動ストッパ４２とが配設されている。
【００２５】
この場合、エンジン４３は、ギヤードモータ等で構成した駆動モータ４７と、駆動モータ４７の主軸に固定した駆動プーリ４８と、駆動プーリ４８に対し見付け方向に離間して支持フレーム４５に回転自在に軸支した従動プーリ（図示省略）と、駆動プーリ４８および従動プーリ間に掛け渡したタイミングベルト４９とで構成されている。図示では省略したが、タイミングベルト４９の一部が固定金具を介して可動扉（上框３４）２０に固定されており、センサ入力等をトリガとして駆動モータ４７が正逆回転し、タイミングベルト４９が正逆方向に走行することにより、可動扉２０が開閉動作する。
【００２６】
次に、図４ないし図６を参照して、可動扉２０の施錠装置廻りの構造について、詳細に説明する。図４に示すように、施錠装置５０は、戸先縦框３６の近傍に位置して可動扉２０の下框３５に組み込んだデッドボルト（鍵棒）５２を有するドア錠５１と、ドア部下枠１６に固定されデットボルト５２に対峙する開放阻止部材５３と、下框３５に固定され開放阻止部材５３に係脱する掛止部材５４とで構成されている。すなわち、可動扉２０の閉塞時に突出したデッドボルト５２とこれに係合する開放阻止部材５３とにより、可動扉２０の開放を阻止する施錠のための機構が構成され、且つ可動扉２０の閉塞時に相互に上動方向に掛止された開放阻止部材５３と掛止部材５４とにより、可動扉２０の防犯のための機構が構成されている。
【００２７】
なお、掛止部材５４は、可動扉２０の開閉をガイドするスライダ（  スライドブロック）を兼ねており、下端部を上記レール枠部２４のレール溝２５にスライド自在に遊嵌されている（図２参照）。また、図示では省略したが、この掛止部材５４の断面方向に沿って、下框３５の屋外側下端部位置からレール枠部２４のレール溝２５内にかけて、ガードプレートが設けられている。ガードプレートは、断面クランク状に屈曲しており、見付け方向において下框３５と略同一長さに形成されている。これにより、常時閉塞状態にある可動扉２０の下側から、異物がガイド溝２５内へ落下するのを阻止できるようになっている。
【００２８】
ドア錠５１は、上半部を下框３５に埋め込むようにして下框３５の下壁３５ａに固定したケース６１内にシリンダー錠６２を有し、このシリンダー錠６２を屋内側のサムターンおよび屋外側のキーにより（いずれも図示省略）、デッドボルト５２を可動扉２０の下框（下壁３５ａ）３５から下方に出没させるように構成されている。可動扉２０の閉塞時に、ドア錠５１を施錠操作することにより、デッドボルト５２が開放阻止部材５３に係合する位置まで突出し、開放阻止部材５３との間で可動扉２０の開放を阻止する。また、ドア錠５１を解錠操作することにより、デッドボルト５２がケース６１内に没入し、可動扉２０の開放を許容する。
【００２９】
図５に示すように、掛止部材５４は、下框３５の下壁３５ａに下側からねじ止めした中空角柱状の掛止部材本体６５と、掛止部材本体６５の下端に連なり掛止部材本体６５より薄手に形成されたガイド部６６と（同図（ｄ）参照）、ガイド部６６の下端部において両側方（見付け方向）に突設した一対の掛止突部６７，６７とから成り、樹脂等で一体に形成されている。すなわち、ガイド部６６および一対の掛止突部６７，６７が上記のレール溝２５内をスライドする。
【００３０】
戸先側に位置する掛止突部６７は、ガイド部６６と同厚で且つ上面に凸条を有する厚板状に形成されており、可動扉２０の閉塞時に後述する開放阻止部材５３の掛止受け部７９の下側にもぐり込む。これにより、掛止突部６７は、掛止受け部７９に対し上動方向に掛止状態となる。一方、戸尻側の掛止突部６７は、実施形態の可動扉２０とは逆方向（右勝手・左勝手）に開閉される自動ドアに用いられる部位である。すなわち、実施形態の掛止部材５４は、右勝手および左勝手の自動ドアに対し、兼用部品となっている。
【００３１】
なお、掛止部材５４は金属等で構成することも可能であり、また掛止部材本体６５と一対の掛止突部６７，６７とを別体に構成することも可能である。また、上述したように、掛止部材５４はスライダを兼ねている。このため、戸先側の上記掛止部材５４に対応して、下框３５の戸尻側にも同一形態の掛止部材５４が設けられている（図示省略）。但し、戸尻側の掛止部材５４はスライダの機能のみを有することになるため、一対の掛止突部６７，６７を省略した形態のものであってもよい（図７参照）。
【００３２】
図６に示すように、開放阻止部材５３は、これをドア部下枠１６のレール溝２５内に固定するための固定部７１と、固定部７１上に相互に離間して立設したガイドビン７２およびガイドねじ７３と、固定部７１上に着座すると共にガイド部であるガイドピン７２およびガイドねじ７３により上下動自在に保持された阻止部材本体（可動阻止部）７４とで、構成されている。
【００３３】
固定部７１は、レール溝２５と同幅の方形厚板状に形成され、レール溝２５の溝底において、長手方向の２箇所でドア部下枠１６にねじ止めされている。ガイドピン７２は、阻止部材本体７４をガイドする円柱状のピン本体７２ａと、ピン本体７２ａの下端に突設した固定突起７２ｂとで構成され、この固定突起７２ｂを固定部７１に形成した取付孔に圧入することにより、固定部７１に立設されている。
【００３４】
ガイドねじ７３は、胴部７３ａの先端部で、固定部７１のねじ孔に締結されており、その頭部７３ｂの外周面で阻止部材本体７４をガイドするようになっている。阻止部材本体７４が固定部７１に着座する下動端位置にある状態で、ガイドピン７２はその上面が阻止部材本体７４の上面と略面一になるように配設される一方、ガイドねじ７３は、その頭部７３ｂが阻止部材本体７４内に没するように配設されている。詳細は後述するが、ガイドねじ７３は、阻止部材本体７４の上動端位置を規制するストッパと上動端位置を調節する調節ねじとを兼ねている。
【００３５】
阻止部材本体７４は、ガイドピン７２に上下動自在に案内されるピン係合部７６と、ガイドねじ７３に上下動自在に案内されるねじ係合部７７と、ピン係合部７６の上端部およびねじ係合部７７の上端部を連結する連結片部７８と、ピン係合部７６の上端部から上記の掛止部材５４側に延設した掛止受け部７９とから成り、各部の上面が水平に且つ面一になるように、金属材等で一体に形成されている。
【００３６】
ピン係合部７６は、ガイドピン７２のピン本体７２ａと相補的形状を為す無底のガイド孔７６ａを有する一方、ねじ係合部７７は、ガイドねじ７３の頭部７３ｂと同径の有底のガイド孔７７ａを有している。ねじ係合部７７のガイド孔７７ａの底部には、ガイドねじ７３の貫通孔が形成され、この貫通孔の周縁部７７ｂがガイドねじ７３の頭部７３ｂに下側から当接することで、阻止部材本体７４の上動端位置が位置規制される。掛止受け部７９は、断面逆「Ｕ」字状に形成されており、この逆「Ｕ」字状の内側空間に、上記掛止部材５４の掛止突部６７が挿入される。すなわち、掛止突部６７は、見込み方向に位置規制された状態で、掛止受け部７９に掛止される。
【００３７】
ここで、図４を参照して、本実施形態の自動ドア（可動扉２０）１の施錠状態について、説明する。可動扉２０が完全閉塞する直前に、下框３５に固定した掛止部材５４の掛止突部６７がドア部下枠１６に固定した開放阻止部材５３の掛止受け部７９に挿入され、続いて可動扉２０が完全閉塞されると、掛止部材５４と開放阻止部材５３とが掛止状態となる。ここで、ドア錠５１を施錠操作するとデットボルト５２が下方に突出し、デットボルト５２と開放阻止部材５３との協働により、可動扉２０は開放阻止状態となる（同図（ａ））。
【００３８】
一方、外部からの不法侵入者が、開放阻止状態を解除しようとして、ドア部下枠１６と下框３５との間隙にバール等を差し込んで、開放阻止部材５３に対するデットボルト５２のつかえを解くべく上動ストッパ４２に抗して可動扉２０をこじ上げると、開放阻止部材５３の阻止部材本体７４が掛止部材５４に引かれて上動する（同図（ｂ））。不法侵入者は、このこじ上げ状態でデットボルト５２が外れた（デットボルト５２が開放阻止部材５３を乗り越える）ものと解して、可動扉２０を開放しようとするが、デットボルト５２と開放阻止部材５３の係合状態は解かれておらず、可動扉２０を開放させることができない。
【００３９】
上述したように、可動扉２０の下框３５には、その全長に亘ってガードプレートが下垂するように設けられている。このため、実際のバールは、ドア部下枠１６とガードプレートの段部との間隙に当てがわれることになる。言い換えれば、ガードプレートが邪魔になるため、外部からバール等を直接、デットボルト５２や開放阻止部材５３に当てがうことはできず、結局、可動扉２０を開放させることは不可能となる。
【００４０】
このように、開放阻止部材５３の阻止部材本体７４を、可動扉２０の上動に伴って（連動して）上動させるようにしているため、可動扉２０を上動させても、開放阻止部材５３とデッドボルト５２との施錠状態が解かれることがない。したがって、本実施形態の施錠装置５０は、防犯上、極めて有効に機能する。しかも、開放阻止部材５３は、可動扉２０を上動に抗する構造になっていない（許容する）ため、下框３５の破損やドア部下枠１６の破損を極力抑制することができる。
【００４１】
なお、上記実施形態において、開放阻止部材５３を、デットボルト５２と協働して可動扉２０の開放を阻止する阻止部材と、掛止部材５４に対応する掛止受け部材に分割した（別体）構成としてもよい。かかる場合には、掛止受け部材に上下動部品を設けると共に阻止部材にも上下動部品を設け、さらに両者を連動させる連動部品を設けるようにする。
【００４２】
次に、図７を参照して、本発明の第２実施形態に係る施錠装置について、説明する。この施錠装置５０Ａでは、ドア錠５１のデットボルト（鍵棒）８１がフック形状に形成され、且つ開放阻止部材（阻止部材）８２が左右反転して設けられている。すなわち、デッドボルト８１が第１実施形態の掛止部材５４の掛止突部６７の機能を兼用している。したがって、同図の掛止部材５４は、スライダの機能のみを奏することから、一対の掛止突部６７を省略した形態となっている。
【００４３】
フック形状のデッドボルト８１は、基部に設けた支点を中心に回動自在に構成され、正逆回動動作（施錠・解錠動作）により下框から出没する。また、開放阻止部材８２は、第１実施形態と同様の形態を有し、掛止受け部７９がデッドボルト８１側に向くように配設されている。なお、この実施形態では、第１実施形態と同様に、デットボルト（可動扉）５２，８１の上動に伴って、開放阻止部材８２の阻止部材本体７４が上動する構造になっているが、第２実施形態のデットボルト８１を、例えば入れ子式に連結した本体とフックとで構成し、可動扉２０の上動に伴って、デットボルト８１自体が伸張する構成であってもよい。
【００４４】
このように第２実施形態によれば、不法侵入者が、ドア部下枠１６と下框３５との間隙にバール等を差し込んで、可動扉２０をこじ上げると、開放阻止部材８２の阻止部材本体７４がデッドボルト８１に引かれて上動する。このため、可動扉２０は上動するが、デットボルト８１と開放阻止部材８２の閉塞阻止状態は解かれておらず、可動扉２０を開放させることができない。したがって、第１実施形態と同様に、防犯上、極めて有効に機能させることができると共に、下框３５の破損やドア部下枠１６の破損を極力抑制することができる。
【００４５】
なお、本実施形態では、施錠装置５０，５０Ａを片開きの自動ドア１に適用した場合について説明したが、両開きの自動ドアに適用可能なことは、いうまでもない。
【００４６】
【発明の効果】
以上のように、本発明の自動ドアの施錠装置および自動ドアによれば、バール等により扉体をこじって鍵棒を外すそうとすると、扉体の上動に合わせて可動阻止部が上動するため、下枠や扉体が損傷することがなく、且つと扉体が上動しても鍵棒が外れることのないため、不法侵入者を混乱させ、侵入を諦めさせることができる。
【図面の簡単な説明】
【図１】本発明の一実施形態に係る自動ドアの全体姿図である。
【図２】実施形態に係る自動ドアの縦断面図である。
【図３】実施形態に係る自動ドアの横断面図である。
【図４】第１実施形態に係る施錠装置の施錠状態（ａ）およびこじ上げ状態（ｂ）を表した側面図である。
【図５】掛止部材の平面形状（ａ）、正面形状（ｂ）、底面形状（ｃ）および側面形状（ｄ）を表した構造図である。
【図６】開放阻止部材の平面形状（ａ）側面形状（ｂ）正面形状（ｃ）を表した構造図である。
【図７】第２実施形態に係る施錠装置の側面図である。
【符号の説明】
１  自動ドア、１５  ドア部無目、１６  ドア部下枠、２０  可動扉、２４  レール枠部、３５  下框、５０，５０Ａ  施錠装置、５１  ドア錠、５２，８１デッドボルト、５３，８２  開放阻止部材、５４  掛止部材、６５  掛止部材本体、６７  掛止突部、７１  固定部、７２  ガイドピン、７３  ガイドねじ、７４  阻止部材本体、７９  係止受け部
【図１】
2004324076.tif 000003
【図２】
2004324076.tif 000004
【図３】
2004324076.tif 000005
【図４】
2004324076.tif 000006
【図５】
2004324076.tif 000007
【図６】
2004324076.tif 000008
【図７】
2004324076.tif 000009